(57)【要約】  【課題】本発明は、ファイル、システム手帳等のバインダで綴じられる被綴じ体に関し、ピッチの異なる複数形態の綴じ穴数に対して使用バインダの綴じ穴数及びピッチに応じた綴じ穴数を形成させることで使用に際して利便性を向上させることを目的とする。  【解決手段】基体１２の一方辺の綴じ穴形成部１３に、バインダの綴じ片に対して押しつけ、当該綴じ片を挿入させることで当該綴じ片のピッチに応じた綴じ穴を形成させる破断線１５（縦破断線２１Ａ，２１Ｂ、横破断線２２）を所定ピッチＰで形成させる構成とする。  【選択図】  図１
2008246873.tif 000002
【特許請求の範囲】
【請求項１】
バインダの所定ピッチで形成される綴じ片が綴じ穴に挿入されることで綴じられる被綴じ体であって、
基体の一方辺に、前記バインダの綴じ片に対して押しつけ、当該綴じ片を挿入させることで当該綴じ片のピッチに応じた綴じ穴を形成させる破断線を所定ピッチで形成されることを特徴とする被綴じ体。
【請求項２】
請求項１記載の被綴じ体であって、前記破断線は、２本の縦破断線間に横破断線を所定ピッチで所定数形成されることを特徴とする被綴じ体。
【請求項３】
請求項１記載の被綴じ体であって、前記破断線は、クロス形状を組として所定ピッチで所定数形成されることを特徴とする被綴じ体。
【発明の詳細な説明】
【技術分野】
【０００１】
本発明は、ファイル、システム手帳等のバインダで綴じられる被綴じ体に関する。
【背景技術】
【０００２】
従来、被綴じ体を脱着自在にファイリングするファイリングシステムには被綴じ体の大きさや規格、用途に応じて種々のバインダ形式がある。多くは、綴じ穴の数が異なるバインダを備えるファイリングシステムが利用者の用途、好みに応じて用意されている。逆に、被綴じ体はバインダの綴じ穴に適合したものがそれぞれ個別に用意されるもので、利用者は所持する、若しくは所望のバインダの綴じ穴数に応じてそれぞれ購入するのが現状である。
【０００３】
ところで、書類やカード等を、ファイル帳やシステム手帳等に綴じ込むための穿孔を１台のパンチ器で可能とする多機能パンチが下記特許文献で提案されている。この特許文献で提案されている多機能パンチによれば、１台のパンチ器で１穴から６穴まで６種類の孔あけを可能とするもので、利用者は無穴の書類やカード等に所持するバインダの綴じ穴数に応じて穿孔することができ、利用者の便に供し、事務能率の向上が図られるとしている。
【０００４】
【特許文献１】特開２００２−２７３６９７号公報
【発明の開示】
【発明が解決しようとする課題】
【０００５】
しかしながら、上記特許文献の多機能パンチで６種類の穿孔を可能としても、利用者はファインダの綴じ穴数に応じてその都度穿孔するという作業をしなければならず、煩わしさを解消することができず、また、綴じ穴数が多くなった場合には対処することができないか、若しくは所望数まで穿孔作業を繰り返さなければならないという問題がある。
【０００６】
そこで、本発明は上記課題に鑑みなされたもので、ピッチの異なる複数形態の綴じ穴数に対して使用バインダの綴じ穴数及びピッチに応じた綴じ穴数を形成させることで使用に際して利便性のある被綴じ体を提供することを目的とする。
【課題を解決するための手段】
【０００７】
上記課題を解決するために、請求項１の発明では、バインダの所定ピッチで形成される綴じ片が綴じ穴に挿入されることで綴じられる被綴じ体であって、基体の一方辺に、前記バインダの綴じ片に対して押しつけ、当該綴じ片を挿入させることで当該綴じ片のピッチに応じた綴じ穴を形成させる破断線を所定ピッチで形成される構成とする。
【０００８】
請求項２、３の発明では、「前記破断線は、２本の縦破断線間に横破断線を所定ピッチで所定数形成される」構成であり、
「前記破断線は、クロス形状を組として所定ピッチで所定数形成される」構成である。
【発明の効果】
【０００９】
本発明によれば、基体の一方辺に、バインダの綴じ片に対して押しつけ、当該綴じ片を挿入させることで当該綴じ片のピッチに応じた綴じ穴を形成させる破断線を所定ピッチで形成させる構成とすることにより、ピッチの異なる複数形態の綴じ穴数に対して使用バインダの綴じ穴数及びピッチに応じた綴じ穴数を形成させることでき、使用に際して利便性を向上させることができるものである。
【発明を実施するための最良の形態】
【００１０】
以下、本発明の最良の実施形態を図により説明する。
図１に、本発明に係る被綴じ体の第１実施形態の構成図を示す。図１（Ａ）において、被綴じ体１１は、一例としてカードホルダとしたもので、基体１２の一方辺を綴じ穴形成部１３とし、当該綴じ穴形成部１３にバインダの綴じ片に対して押しつけ、当該綴じ片を挿入させることで当該綴じ片のピッチに応じた綴じ穴を形成させる破断線１４が所定ピッチで形成される。基体１２としては、カードホルダとさせるためにフィルムが望ましいが、紙製のものでもよい。また、当該被綴じ体１１を綴じる対象として、例えばシステム手帳用としてこれに合致するサイズとしている。
【００１１】
上記破断線１４は、図１（Ｂ）に示すように、縦方向に２本の縦破断線２１Ａ，２１Ｂが所定間隔（例えば端辺より４ｍｍの位置から５ｍｍ間隔）で形成され、当該縦破断線２１Ａ，２１Ｂ間に横判断線２２が所定ピッチＰで所定数形成される。ピッチＰは、適宜設定可能であるが、ここでは例えば５ｍｍとしている。また、縦破断線２１Ａ，２１Ｂ及び横破断線２２は、例えばミシン刃若しくはレーザ加工によりミシン線又はハーフカットで形成される。
【００１２】
一方、基体１２には、クレジットカード等のカードや健康保険証などのカードサイズのものを、ホールドする例えば３つのホルダ１５Ａ〜１５Ｃが縦方向に溶着等により設けられる。なお、３つのホルダ１５Ａ〜１５Ｃの下方に全体の大きさを調整する調整片１６が適宜設けられる。この調整片１６は切り取り自在としてもよく、例えば、一家族分の健康保険証を所定数送付する際にカードホルダに入れた状態で送付することも行われ、送付封緘体の厚みを検知して封緘後の封緘内容物を検査するときに、当該送付封緘体内部で当該被綴じ体１１が移動して誤認検知されることを防止することができるものである。したがって、当該調整片１６は下方に限らず、上方若しくは一方側辺側に適宜設けることとしてもよい。
【００１３】
次に、図２に図１の被綴じ体における使用例の説明図を示すと共に、図３に本発明に係る他の被綴じ体における使用例の説明図を示す。図２（Ａ）において、図１の被綴じ体１１を綴じる対象としてのシステム手帳３１は、６穴のバインダ３２が取り付けられる。当該バインダ３２は、６つの綴じ片としての綴じリング３３が、１９ｍｍ、１９ｍｍ、５１ｍｍ（若しくは７０ｍｍ）、１９ｍｍ、１９ｍｍのピッチで配置される。
【００１４】
そこで、図２（Ｂ）、（Ｃ）に示すように、上記６つの綴じリング３３の開いた状態で、図１に示す被綴じ体１１における綴じ穴形成部１３の破断線１４の部分を押しつけることにより、当該破断線１４（縦破断線２１Ａ，２１Ｂ、横破断線２２）の当該綴じリング３３に対応した部分が破断して除去される。この除去された部分が、図２（Ｃ）に示すように、綴じ穴２３となる。そして、綴じリング３３を綴じることにより、当該システム手帳３１に、当該システム手帳用としての被綴じ体１１が綴じられるものである。なお、破断線１４（特に、横破断線２２）のピッチＰと、綴じリング３３とのピッチが合致しない場合には、２つ単位の横破断線２２分が除去されることで対応の綴じ穴２３となる。
【００１５】
また、図３（Ａ）において、被綴じ体１１は、上記のようにシステム手帳用としてではなく、例えば４穴のセールスマニュアル、カタログ、ＣＩ清刷り集、帳簿等のドキュメント若しくはホルダとされた場合のものとして、基体１２Ａの一方辺の綴じ穴形成部１３に、上記同様の破断線１４（縦破断線２１Ａ，２１Ｂ、横破断線２２）が形成される。
【００１６】
そこで、図３（Ａ）に示す被綴じ体１１を綴じる対象のバインダファイル４１は、図３（Ｂ）に示すように、筒状バインダ４２Ａ，４２Ｂが設けられると共に、筒状バインダ４２Ｂと係合する係止具４２Ｃが設けられる。筒状バインダ４２Ａは、４つの綴じパイプ４３が、例えば８０ｍｍピッチで立設され、これに対応して筒状バインダ４２Ｂに当該綴じパイプ４３内に挿入される係合棒４４がそれぞれ設けられたものである。
【００１７】
そして、図３（Ｂ）に示すように、筒状バインダ４２Ａの立設された筒状パイプ４３に、図３（Ａ）に示す被綴じ体１１における綴じ穴形成部１３の破断線１４の部分を押しつけることにより、当該破断線１４（縦破断線２１Ａ，２１Ｂ、横破断線２２）の当該綴じリング３３に対応した部分が破断して除去される。この除去された部分が綴じ穴２３となるものである。そして、当該筒状パイプ４３内に筒状バインダ４２Ｂの係合棒４４を挿入させ、ファイルを閉じることで筒状バインダ４２Ｂと係止具４２Ｃとを係止させることにより固定状態とされ、４穴で当該被綴じ体１１が綴じられるものである。なお、上記同様に、破断線１４（特に、横破断線２２）のピッチＰと、綴じリング３３とのピッチが合致しない場合には、２つ単位の横破断線２２分が除去されることで対応の綴じ穴２３となる。
【００１８】
このように、ピッチの異なる複数形態の綴じ穴数に対して使用バインダの綴じ穴数及びピッチに応じた綴じ穴数を形成させることでき、使用に際して利便性を向上させることができるものである。なお、上記実施形態では、６穴及び４穴のバインダに対して適用させた場合を示したが、ピッチの異なる他の綴じ穴数に対しても適用することができるものである。
【００１９】
ところで、綴じ穴形成部で複数のピッチの綴じ穴数を共有させる綴じ穴を予め形成しておくことも可能ではあるが、そうすると決められた長さの綴じ穴形成部に形成させる綴じ穴が多くなり、綴じ穴が複数の長穴になると共に、綴じ穴間の間隔が狭くなってバインダに綴じたときの強度が不足することにもなりかねないのに対し、本発明では、形成させる綴じ穴数はバインダの綴じ片数で形成されることとなり、強度不足になることもない。このことは、以下の実施形態においても同様である。
【００２０】
次に、図４に、本発明に係る被綴じ体の第２実施形態の構成図を示す。図４（Ａ）において、被綴じ体１１は、図１と同様に、カードホルダとしたもので、基体１２の一方辺を綴じ穴形成部１３とし、当該綴じ穴形成部１３にバインダの綴じリング３３に対して押しつけ、当該綴じリング３３を挿入させることで当該綴じリング３３のピッチに応じた綴じ穴を形成させる破断線１４を、図４（Ｂ）に示すように、クロス形状を組としたクロス破断線５１として所定ピッチＰで所定数形成させたものである。他の構成は図１と同様であり、説明を省略する。ピッチＰは、適宜設定可能であるが、ここでは上記同様に例えば５ｍｍとし、クロス破断線５１も上記同様に例えばミシン刃若しくはレーザ加工によりミシン線又はハーフカットで形成させたものである。
【００２１】
そこで、図５に、図４の被綴じ体における使用例の説明図を示す。図５（Ａ）、（Ｂ）において、図４の被綴じ体１１の綴じる対象を図２と同様にシステム手帳３１として、６つの綴じリング３３の開いた状態で、図４に示す被綴じ体１１における綴じ穴形成部１３の破断線１４（クロス破断線５１）の部分を押しつけることにより、当該破断線１４の当該綴じリング３３に対応したクロス破断線５１の部分が破断され、綴じリング３３の貫通される状態とれる。
【００２２】
上記貫通された部分が、図５（Ｃ）に示すように、綴じ穴５２となる。そして、綴じリング３３を綴じることにより、当該システム手帳３１に、当該システム手帳用としての被綴じ体１１が綴じられるものである。なお、破断線１４（クロス破断線５１）のピッチＰと、綴じリング３３とのピッチが合致しない場合には、２つ単位のクロス破断線５１が貫通状態とされることで対応の綴じ穴５２となる。
【００２３】
このように、破断線１４をクロス破断線５１としても、上記同様に、ピッチの異なる複数形態の綴じ穴数に対して使用バインダの綴じ穴数及びピッチに応じた綴じ穴数を形成させることでき、使用に際して利便性を向上させることができるものである。なお、上記実施形態では、６穴のバインダに対して適用させた場合を示したが、上記図３に示すような４穴のバインダファイル４１に適用させることも可能であると共に、ピッチの異なる他の綴じ穴数に対しても適用することができることも上記同様である。
【産業上の利用可能性】
【００２４】
本発明の被綴じ体は、ファイル、システム手帳等のバインダで綴じられるマニュアル、帳簿、ルーズリーフ、カタログ、ＣＩ清刷り集、帳票、カード若しくはドキュメント等のホルダ、ルーズリーフなどに利用可能である。
【図面の簡単な説明】
【００２５】
【図１】本発明に係る被綴じ体の第１実施形態の構成図である。
【図２】図１の被綴じ体における使用例の説明図である。
【図３】本発明に係る他の被綴じ体における使用例の説明図である。
【図４】本発明に係る被綴じ体の第２実施形態の構成図である。
【図５】図４の被綴じ体における使用例の説明図である。
【符号の説明】
【００２６】
１１            被綴じ体
１２            基体
１３            綴じ穴形成部
１４，５１      破断線
２１Ａ，２１Ｂ  縦破断線
２２            横破断線
２３，５２      綴じ穴
３１            システム手帳
３２            ６穴バインダ
３３            綴じリング
４１            バインダファイル
４２Ａ，４２Ｂ  筒状バインダ
４２Ｃ          係止具
４３            綴じパイプ
４４            係合棒
５１            クロス破断線
【図１】
2008246873.tif 000003
【図２】
2008246873.tif 000004
【図３】
2008246873.tif 000005
【図４】
2008246873.tif 000006
【図５】
2008246873.tif 000007